(57)【要約】【課題】  著作権を好適に保護しつつもＨＤ及びＳＤの夫々のコンテンツ情報を好適に視聴する。【解決手段】  情報記録装置（１）は、第１再生品質（ＨＤ）の第１コンテンツ情報をダウンコンバートして、第１再生品質より低精細度な第２再生品質（ＳＤ）の第２コンテンツ情報を生成するダウンコンバート手段（３２）と、所定のスクランブルキーに基づいて第１コンテンツ情報をスクランブル処理することで、スクランブル情報を生成するスクランブル手段（３８）と、第１記録媒体（１０）に第２コンテンツ情報及びスクランブル情報の夫々を記録する第１記録手段（１１）とを備える。【選択図】  図１
2005322298.tif 000002
【特許請求の範囲】
【請求項１】
第１再生品質の第１コンテンツ情報をダウンコンバートして、前記第１再生品質より低精細度な第２再生品質の第２コンテンツ情報を生成するダウンコンバート手段と、
所定のスクランブルキーに基づいて前記第１コンテンツ情報をスクランブル処理することで、スクランブル情報を生成するスクランブル手段と、
第１記録媒体に前記第２コンテンツ情報及び前記スクランブル情報の夫々を記録する第１記録手段と
を備えることを特徴とする情報記録装置。
【請求項２】
第２記録媒体に前記第２コンテンツ情報を記録する第２記録手段と、
前記第２記録媒体に前記第２コンテンツ情報が記録される場合、前記第１記録媒体に記録されている前記第２コンテンツ情報を消去する第１消去手段と
を更に備えることを特徴とする請求項１に記載の情報記録装置。
【請求項３】
前記第２コンテンツ情報の少なくとも一部に基づいて前記スクランブルキーを生成するキー生成手段を更に備えることを特徴とする請求項１に記載の情報記録装置。
【請求項４】
前記スクランブル情報と前記スクランブルキーとの夫々に基づいて、前記第１コンテンツ情報を生成する情報生成手段を更に備えることを特徴とする請求項１に記載の情報記録装置。
【請求項５】
前記第１記録手段は、前記生成される第１コンテンツ情報を前記第１記録媒体に記録し、
前記生成される第１コンテンツ情報が前記第１記録媒体に記録される場合、前記第２記録媒体に記録された前記第２コンテンツ情報を消去する第２消去手段を更に備えることを特徴とする請求項４に記載の情報記録装置。
【請求項６】
第１再生品質の第１コンテンツ情報をダウンコンバートして、前記第１再生品質より低精細度な第２再生品質の第２コンテンツ情報を生成するダウンコンバート工程と、
所定のスクランブルキーに基づいて前記第１コンテンツ情報をスクランブル処理することで、スクランブル情報を生成するスクランブル工程と、
第１記録媒体に前記第２コンテンツ情報及び前記スクランブル情報の夫々を記録する第１記録工程と
を備えることを特徴とする情報記録方法。
【請求項７】
請求項１から５のいずれか一項に記載の情報記録装置により少なくとも前記第１記録媒体に記録される前記第２コンテンツ情報を所望の再生品質で再生する情報再生装置であって、
前記スクランブル情報と前記スクランブルキーとの夫々に基づいて、前記第１コンテンツ情報を生成する情報生成手段と、
前記生成される前記第１コンテンツ情報を再生する第１再生手段と
を備えることを特徴とする情報再生装置。
【請求項８】
前記第２コンテンツ情報を再生する第２再生手段を更に備えることを特徴とする請求項７に記載の情報再生装置。
【請求項９】
請求項１から５のいずれか一項に記載の情報記録装置により少なくとも前記第１記録媒体に記録される前記第２コンテンツ情報を所望の再生品質で再生する情報再生方法であって、
前記スクランブル情報と前記スクランブルキーとの夫々に基づいて、前記第１コンテンツ情報を生成する情報生成工程と、
前記生成される前記第１コンテンツ情報を再生する第１再生工程と
を備えることを特徴とする情報再生方法。
【請求項１０】
請求項１から５のうちいずれか一項に記載の情報記録装置に備えられたコンピュータを制御する記録制御用のコンピュータプログラムであって、該コンピュータを、前記ダウンコンバート手段、前記スクランブル手段及び前記第１記録手段のうち少なくとも一部として機能させることを特徴とするコンピュータプログラム。
【請求項１１】
請求項７又は８に記載の情報再生装置に備えられたコンピュータを制御する再生制御用のコンピュータプログラムであって、該コンピュータを、前記情報生成手段及び前記第１再生手段のうち少なくとも一部として機能させることを特徴とするコンピュータプログラム。
【発明の詳細な説明】
【技術分野】
【０００１】
本発明は、例えばＤＶＤレコーダやＤＶＤプレーヤ等の情報記録装置及び方法、情報再生装置及び方法、並びにコンピュータをこのような情報記録装置等として機能させるコンピュータプログラムの技術分野に関する。
【背景技術】
【０００２】
現在、地上波デジタル放送やＢＳデジタル放送等が開始され、家庭においても高画質なデジタル放送を視聴できるような環境が整いつつある。このようなデジタル放送では、いわゆる標準放送（以下、ＳＤ（Standard Definition）と称する）或いはＳＤＴＶの品質を有するコンテンツ情報から更に進んで、ハイビジョン放送（以下、ＨＤ（High Definition）と称する）或いはＨＤＴＶの品質を有するコンテンツ情報を視聴することができる。
【０００３】
他方、このようなデジタル放送により放送されるコンテンツ情報は、デジタルデータであるがゆえに、複製によっても画質の劣化がなく、容易にコピーを作成することができる。このため、デジタルデータ（或いは、デジタル放送に係るコンテンツ情報）のコピーが、著作権の保護という点において問題となっている。このような著作権の保護を実現すべく、様々な著作権保護技術が開発されている（特許文献１から３参照）。特に、ＤＶＤ等の記録媒体において採用されているＣＰＰＭ（Content Protection for Prerecorded Media）やＣＰＲＭ（Content Protection for Recording Media）といった著作権保護技術は、不正なコピーを防ぐための技術であり、例えばコンテンツ情報にコピーワンスの制約をかけることによって、コンテンツ情報の著作権を適切に保護している。
【０００４】
【特許文献１】特開２０００−３２４４４３号公報
【特許文献２】特開２０００−２９８９２６号公報
【特許文献３】特開平９−１７１６５８号公報
【発明の開示】
【発明が解決しようとする課題】
【０００５】
２００４年４月より、現在放送されている地上波デジタル放送やＢＳデジタル放送には、著作権保護の観点から放送される全ての番組（コンテンツ情報）がコピーワンスの制約を受けることになる。
【０００６】
このコピーワンスの制約により、例えばハードディスクに録画されたコンテンツ情報をＤＶＤ等の他の記録媒体に移す場合には、ハードディスクに録画された元のコンテンツ情報を消去する、いわゆるＭＯＶＥ動作のみが可能となる。例えば、自宅でＨＤのコンテンツ情報をハードディスクに録画した後に、このコンテンツ情報をＤＶＤ等に記録して外出先等で視聴したいユーザもいる。この場合、ハードディスクに録画されたＨＤのコンテンツ情報がＳＤのコンテンツ情報としてＤＶＤ等に記録され、且つハードディスクに録画されたＨＤのコンテンツ情報が消去されるというＭＯＶＥ動作が行なわれる。このＭＯＶＥ動作により、コンテンツ情報の著作権を適切に保護しつつも、コピーワンスの制約を受けるコンテンツ情報を他の記録媒体へ記録することが可能となる。
【０００７】
このとき、ユーザが再度ＨＤのコンテンツ情報を視聴したいと欲しても、既にＳＤのコンテンツ情報しか手元には残っておらず、ＨＤのコンテンツ情報を視聴することができないという問題点を有している。このような問題は、デジタル放送の普及を妨げるのみならず、ハードディスクレコーダ等の情報機器の魅力をも半減させることにも繋がりかねず、好ましいものではない。
【０００８】
本発明は、例えば上述した従来の問題点に鑑みなされたものであり、例えば著作権を好適に保護しつつも例えばＨＤ及びＳＤの夫々のコンテンツ情報を好適に視聴することを可能とならしめる情報記録装置及び方法、情報再生装置及び方法、並びにコンピュータをこのような情報記録装置等として機能させるコンピュータプログラムを提供することを課題とする。
【課題を解決するための手段】
【０００９】
上記課題を解決するために、請求項１に記載の情報記録装置は、第１再生品質の第１コンテンツ情報をダウンコンバートして、前記第１再生品質より低精細度な第２再生品質の第２コンテンツ情報を生成するダウンコンバート手段と、所定のスクランブルキーに基づいて前記第１コンテンツ情報をスクランブル処理することで、スクランブル情報を生成するスクランブル手段と、第１記録媒体に前記第２コンテンツ情報及び前記スクランブル情報の夫々を記録する第１記録手段とを備える。
【００１０】
上記課題を解決するために、請求項６に記載の情報記録方法は、第１再生品質の第１コンテンツ情報をダウンコンバートして、前記第１再生品質より低精細度な第２再生品質の第２コンテンツ情報を生成するダウンコンバート工程と、所定のスクランブルキーに基づいて前記第１コンテンツ情報をスクランブル処理することで、スクランブル情報を生成するスクランブル工程と、第１記録媒体に前記第２コンテンツ情報及び前記スクランブル情報の夫々を記録する第１記録工程とを備える。
【００１１】
上記課題を解決するために、請求項７に記載の情報再生装置は、請求項１から５のいずれか一項に記載の情報記録装置により少なくとも前記第１記録媒体に記録される前記第２コンテンツ情報を所望の再生品質で再生する情報再生装置であって、前記スクランブル情報と前記スクランブルキーとの夫々に基づいて、前記第１コンテンツ情報を生成する情報生成手段と、前記生成される前記第１コンテンツ情報を再生する第１再生手段とを備える。
【００１２】
上記課題を解決するために、請求項９に記載の情報再生方法は、請求項１から６のいずれか一項に記載の情報記録装置により少なくとも前記第１記録媒体に記録される前記第２コンテンツ情報を所望の再生品質で再生する情報再生方法であって、前記スクランブル情報と前記スクランブルキーとの夫々に基づいて、前記第１コンテンツ情報を生成する情報生成工程と、前記生成される前記第１コンテンツ情報を再生する第１再生工程とを備える。
【００１３】
上記課題を解決するために、請求項１０に記載のコンピュータプログラムは、請求項１から５のうちいずれか一項に記載の情報記録装置に備えられたコンピュータを制御する記録制御用のコンピュータプログラムであって、該コンピュータを、前記ダウンコンバート手段、前記スクランブル手段及び前記第１記録手段のうち少なくとも一部として機能させる。
【００１４】
上記課題を解決するために、請求項１１に記載のコンピュータプログラムは、請求項７又は８に記載の情報再生装置に備えられたコンピュータを制御する再生制御用のコンピュータプログラムであって、該コンピュータを、前記情報生成手段及び前記第１再生手段のうち少なくとも一部として機能させる。
【００１５】
本発明の作用及び他の利得は次に説明する実施の形態から明らかにされよう。
【発明を実施するための最良の形態】
【００１６】
以下、発明を実施するための最良の形態としての本発明の実施形態に係る情報記録装置及び方法、情報再生装置及び方法、情報記録再生装置及び方法、並びにコンピュータプログラムについて順に説明する。
【００１７】
（情報記録装置の実施形態）
本発明の情報記録装置に係る実施形態は、第１再生品質の第１コンテンツ情報をダウンコンバートして、前記第１再生品質より低精細度な第２再生品質の第２コンテンツ情報を生成するダウンコンバート手段と、所定のスクランブルキーに基づいて前記第１コンテンツ情報をスクランブル処理することで、スクランブル情報を生成するスクランブル手段と、第１記録媒体に前記第２コンテンツ情報及び前記スクランブル情報の夫々を記録する第１記録手段とを備える。
【００１８】
本発明の情報記録装置に係る実施形態によれば、ダウンコンバート手段の動作により、第１再生品質（ＨＤ）に係る第１コンテンツ情報がダウンコンバートされ、第２再生品質（ＳＤ）に係る第２コンテンツ情報が生成される。このとき、第２再生品質は第１再生品質と比較してより低精細度であるため、第２コンテンツ情報のデータサイズは第１コンテンツ情報のデータサイズと比較してより小さくなっている。そして、この生成された第２コンテンツ情報は、第１記録手段の動作により第１記録媒体に記録される。
【００１９】
本実施形態では特に、スクランブル手段の動作により、スクランブルキーに基づいて第１コンテンツ情報にスクランブル処理が施される。その結果、第１コンテンツ情報からスクランブル情報が生成される。ここに、本発明における「スクランブル処理」とは、所定の映像等を示すコンテンツ情報を、当該所定の映像等を単体では示し得ない情報（即ち、スクランブル情報）へと変換する処理を示す趣旨である。即ち、スクランブル情報は、それ自体はコンテンツ情報を示す情報ではなく、スクランブルキーと共にデータ処理等をすることで、初めて各種映像や音声等を示す情報（具体的には、第１コンテンツ情報）となる。従って、スクランブル情報が生成される限りにおいては、コンテンツの著作権を適切に保護することができる。そして、このスクランブル情報は第１記録手段の動作により、第１記録媒体に記録される。
【００２０】
そして、後述するように、スクランブルキーに基づいてスクランブル情報から第１コンテンツ情報を生成することができる。従って、コンテンツの著作権が好適に保護されつつも、ユーザは、第１再生品質のコンテンツ情報が第２再生品質にダウンコンバートされた後であっても、スクランブル情報に基づいて、再度第１再生品質に係るコンテンツ情報を視聴することが可能となる。即ち、例えば、相対的に高精細度なデジタル放送の番組を、当該番組を相対的に低精細度な番組にダウンコンバートして第１記録媒体に記録しても、再び相対的に高精細度な番組として視聴することができる。もちろん、低精細度な番組としても視聴することもできる。
【００２１】
以上の結果、本実施形態に係る情報記録装置によれば、コンテンツの著作権を保護しつつも、ユーザは所望の再生品質（例えば、後述のＨＤ画質に相当する第１再生品質或いは後述のＳＤ画質に相当する第２再生品質）に係るコンテンツ情報を好適に視聴することができる。
【００２２】
本発明の情報記録装置に係る実施形態の一の態様は、第２記録媒体に前記第２コンテンツ情報を記録する第２記録手段と、前記第２記録媒体に前記第２コンテンツ情報が記録される場合、前記第１記録媒体に記録されている前記第２コンテンツ情報を消去する第１消去手段とを更に備える。
【００２３】
この態様によれば、第２記録手段の動作により、第１記録媒体に記録されている第２コンテンツ情報を第２記録媒体へ記録することが可能となる。そして、第１記録媒体に記録されている第２コンテンツ情報に対してデータ処理（特に、上述のダウンコンバート処理や後述するデコード処理等）を殆ど加える必要がないため、比較的高速に第２記録媒体へ第２コンテンツ情報を記録（例えば、後述のＭＯＶＥ動作）することが可能となる。更には、第１記録媒体から第２記録媒体への第２コンテンツ情報の記録動作と並行して、上述したダウンコンバート手段や第１記録手段等の動作による第１コンテンツ情報の第１記録媒体への記録動作を行うことも可能となる。即ち、記録動作の大幅な効率化を図ることが可能となる。
【００２４】
加えて、第２コンテンツ情報が第２記録媒体へ記録された後は、第２消去手段の動作により、第１記録媒体に記録されている第２コンテンツ情報が消去される。従って、コンテンツの著作権を適切に保護することができる。
【００２５】
本発明の情報記録装置に係る実施形態の他の態様は、前記第２コンテンツ情報の少なくとも一部に基づいて前記スクランブルキーを生成するキー生成手段を更に備える。
【００２６】
この態様によれば、例えば第１記録媒体に記録される第２コンテンツ情報に固有のスクランブルキーを生成することが可能となる。言い換えれば、スクランブルキーを改めて生成するためには、実際に例えば第２コンテンツ情報（或いは、当該第２コンテンツ情報が記録される第１記録媒体）が必要とされる。このため、スクランブルキーの不正な複製をより効果的に防止することができる。従って、不正にスクランブル情報を取得する者が仮にいたとしても、容易にスクランブルキーを生成することはできず、その結果、コンテンツの著作権をより好適に保護することが可能となる。
【００２７】
本発明の情報記録装置に係る実施形態の他の態様は、前記スクランブル情報と前記スクランブルキーとの夫々に基づいて、前記第１コンテンツ情報を生成する情報生成手段とを更に備える。
【００２８】
この態様によれば、スクランブル情報とスクランブルキーとを用いて、より高精細度な第１コンテンツ情報を生成することが可能となる。即ち、スクランブルキーに基づいてスクランブル情報に対して例えばデスクランブル処理（或いは、スクランブル解除処理）を施すことで、元の第１コンテンツ情報を生成することが可能となる。従って、一度第１コンテンツ情報を第２コンテンツ情報に変換して他の記録媒体に記録しても、ユーザは第１コンテンツ情報を再度視聴することが可能となる。
【００２９】
上述の如く情報生成手段を備える情報記録装置の態様では、前記第１記録手段は、前記生成される第１コンテンツ情報を前記第１記録媒体に記録し、前記生成される第１コンテンツ情報が前記第１記録媒体に記録される場合、前記第２記録媒体に記録された前記第２コンテンツ情報を消去する第２消去手段を更に備える。
【００３０】
このように構成すれば、生成した第１コンテンツ情報を再度第１記録媒体に記録することができると共に、第２消去手段の動作により第２記録媒体に記録された第２コンテンツ情報が消去される。従って、一度第１コンテンツ情報を第２コンテンツ情報に変換して他の記録媒体に記録しても、当該コンテンツの著作権を適切に保護しつつも、当該第１コンテンツ情報を再度元の記録媒体に記録し直すことが可能となる。
【００３１】
（情報記録方法の実施形態）
本発明の情報記録方法に係る実施形態は、第１再生品質の第１コンテンツ情報をダウンコンバートして、前記第１再生品質より低精細度な第２再生品質の第２コンテンツ情報を生成するダウンコンバート工程と、所定のスクランブルキーに基づいて前記第１コンテンツ情報をスクランブル処理することで、スクランブル情報を生成するスクランブル工程と、第１記録媒体に前記第２コンテンツ情報及び前記スクランブル情報の夫々を記録する第１記録工程とを備える。
【００３２】
本発明の情報記録方法に係る実施形態によれば、上述した本発明の情報記録装置に係る実施形態と同様の各種利益を享受することができる。
【００３３】
尚、上述した本発明の情報記録装置に係る実施形態における各種態様に対応して、本発明に係る情報記録方法の実施形態も各種態様を採ることが可能である。
【００３４】
（情報再生装置の実施形態）
本発明の情報再生装置に係る実施形態は、上述した本発明の情報記録装置に係る実施形態（但し、その各種態様を含む）により少なくとも前記第１記録媒体に記録される前記第２コンテンツ情報を所望の再生品質で再生する情報再生装置であって、前記スクランブル情報と前記スクランブルキーとの夫々に基づいて、前記第１コンテンツ情報を生成する情報生成手段と、前記生成される前記第１コンテンツ情報を再生する第１再生手段とを備える。
【００３５】
本発明の情報再生装置に係る実施形態によれば、スクランブル情報とスクランブルキーとを用いて、より高精細度な第１コンテンツ情報を生成することが可能となる。即ち、スクランブルキーに基づいてスクランブル情報に対してデスクランブル処理（或いは、スクランブル解除処理）を施すことで、元の第１コンテンツ情報を生成することが可能となる。従って、一度第１コンテンツ情報を第２コンテンツ情報に変換して他の記録媒体に記録しても、ユーザは第１コンテンツ情報を再度視聴することが可能となる。
【００３６】
以上の結果、本実施形態に係る情報再生装置によれば、コンテンツの著作権を適切に保護しつつも、ユーザは、所望の再生品質（特に、第１再生品質）に係るコンテンツ情報を好適に視聴することが可能となる。
【００３７】
本発明の情報再生装置に係る実施形態の一の態様は、前記第２コンテンツ情報を再生する第２再生手段を更に備える。
【００３８】
この態様によれば、ユーザは、第２コンテンツ情報をも適切に視聴することが可能となる。
【００３９】
（情報再生方法の実施形態）
本発明の情報再生方法に係る実施形態は、上述した本発明の情報記録装置に係る実施形態（但し、その各種態様を含む）により少なくとも前記第１記録媒体に記録される前記第２コンテンツ情報を所望の再生品質で再生する情報再生方法であって、前記スクランブル情報と前記スクランブルキーとの夫々に基づいて、前記第１コンテンツ情報を生成する情報生成工程と、前記生成される前記第１コンテンツ情報を再生する第１再生工程とを備える。
【００４０】
本発明の情報再生方法に係る実施形態によれば、上述した本発明の情報再生装置に係る実施形態と同様の各種利益を享受することができる。
【００４１】
尚、上述した本発明の情報再生装置に係る実施形態における各種態様に対応して、本発明に係る情報再生方法の実施形態も各種態様を採ることが可能である。
【００４２】
（コンピュータプログラムの実施形態）
本発明に係るコンピュータプログラムの第１実施形態は、コンピュータを上述した情報記録装置の実施形態（但し、その各種形態も含む）として機能させる。本発明に係るコンピュータプログラムの第２実施形態は、コンピュータを上述した情報再生装置の実施形態（但し、その各種形態も含む）として機能させる。
【００４３】
本発明に係るコンピュータプログラムの各実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置又は情報再生装置に係る実施形態を比較的簡単に実現できる。
【００４４】
尚、上述した本発明の情報記録装置又は情報再生装置に係る実施形態における各種態様に対応して、本発明のコンピュータプログラムに係る各実施形態も各種態様を採ることが可能である。
【００４５】
本発明のこのような作用及び他の利得は次に説明する実施の形態から明らかにされる。
【００４６】
以上説明したように、本発明の情報記録装置又は方法に係る実施形態によれば、ダウンコンバート手段、スクランブル手段及び第１記録手段、又はダウンコンバート工程、スクランブル工程及び第１記録工程を備える。また、本発明の情報再生装置又は方法に係る実施形態によれば、情報生成手段及び第１再生手段、又は情報生成工程及び第１再生工程を備える。従って、コンテンツの著作権を保護しつつも、ユーザは所望の再生品質に係るコンテンツ情報を好適に視聴することができる。
【実施例】
【００４７】
以下、図面を参照しながら、本発明の実施例について説明を進める。
【００４８】
（基本構成）
先ず、図１を参照して、本発明の情報記録再生装置（情報記録装置或いは情報再生装置）に係る実施例の基本構成について説明を進める。ここに、図１は、本実施例に係る情報記録再生装置の基本構成を概念的に示すブロック図である。
【００４９】
図１に示すように、情報記録再生装置１は、ハードディスク１０及び光ディスク２０の夫々にデータを記録可能に構成されており、ハードディスクドライブ１１、光ディスクドライブ２１、ＨＤ（High Definition）デコーダ３１、ダウンコンバータ３２、ＳＤ（Standard Definition）エンコーダ３３、ＣＰＲＭ（Content Protection for Recordable Media）回路３４、キーメモリ３５（４５）、ＳＤデコーダ３６、スクランブル回路３８、バッファメモリ４０、ＨＤデコーダ４１、デスクランブル回路４２、ＣＰＵ５０、メモリ５１を備えている。
【００５０】
ハードディスク１０は、本発明における「第１記録媒体」」の一具体例であって、各種データを記録可能な磁気記録媒体であって、特に、光ディスク２０の記録容量と比較して、より大きな記録容量を有している。
【００５１】
ハードディスクドライブ１１は、本発明における「第１記録手段」又は「第１消去手段」の一具体例であって、ハードディスク１０へ各種データを記録又は消去可能に構成されている。
【００５２】
光ディスク２０は、本発明における「第２記録媒体」の一具体例であって、例えばＤＶＤ等の如く直径１２ｃｍの円盤状の形状を有している情報記録媒体である。
【００５３】
特に、本実施例に係る情報記録再生装置１に用いられる光ディスク２０は、ＣＰＲＭに対応した書換可能な光ディスク（例えば、ＤＶＤ−ＲＷ等）である。
【００５４】
光ディスクドライブ２１は、本発明における「第２記録手段」又は「第２消去手段」の一具体例であって、光ディスク２０へ各種データを記録又は消去可能に構成されている。
【００５５】
ＨＤデコーダ３１及び４１は、ＨＤストリームをデコーディング可能に構成されている。即ち、ＭＰＥＧ２圧縮（エンコーディング）されているＨＤストリームを復号することで、本発明における「第１コンテンツ情報」の一具体例たるＨＤ画質映像に係るデータを生成可能に構成されている。
【００５６】
尚、本実施例では２つのＨＤデコーダを配置するように構成しているが、もちろん１つのＨＤデコーダのみを配置するように構成してもよい。
【００５７】
ダウンコンバータ３２は、本発明における「ダウンコンバート手段」の一具体例であって、ＨＤサイズ（１９２０画素×１０８０画素）の映像に係るデータをＳＤサイズ（７２０画素×４８０画素）の映像に係るデータに変換可能に構成されている。
【００５８】
尚、本実施例では、単に画素数の面から映像を区別する際には、上述の如くＨＤサイズの映像又はＳＤサイズの映像と称して区別する。そして、ＨＤサイズの映像に相当する画素数を有しており、且つ実際にＨＤ画質を実現する映像を特にＨＤ画質映像と称して特に区別する。また、ＳＤサイズの映像に相当する画素数を有する映像は、ＨＤ画質を実現し得るはずもなく、ＳＤサイズの映像を場合によってはＳＤ画質映像と称する。
【００５９】
ＳＤエンコーダ３３は、ダウンコンバータにより変換されたＳＤサイズの映像に係るデータに対して、ＭＰＥＧ２圧縮（エンコーディング）可能に構成されている。そして、ＭＰＥＧ２圧縮された後には、ＳＤストリームが生成される。
【００６０】
ＣＰＲＭ回路３４は、ＣＰＲＭに従って、コピープロテクションのために、光ディスク２０に記録される各種データ（或いは、ストリーム）の暗号化及び復号化を行う。
【００６１】
キーメモリ３５（４５）は、ＨＤストリームのスクランブル処理又はスクランブルデータのデスクランブル処理に用いられるスクランブルキーを格納可能に構成されている。
【００６２】
尚、スクランブルキーについては後に詳述する（図３等参照）。
【００６３】
ＳＤデコーダ３６は、ＳＤストリームをデコーディング可能に構成されている。即ち、ＭＰＥＧ２圧縮（エンコーディング）されているＳＤストリームを復号して、本発明における「第２コンテンツ情報」の一具体例たるＳＤサイズの映像に係るデータ（即ち、ＳＤ画質映像に係るデータ）を生成可能に構成されている。
【００６４】
バッファメモリ４０は、例えばＲＡＭ（Random Access Memory）等の半導体メモリを含んでなり、入力端子より取得されるＨＤストリームを一時的に格納可能に構成されている。そして、格納しているＨＤストリームを所望のタイミング（例えば、スクランブル回路３８に入力されるスクランブルキーに応じたタイミング）でスクランブル回路３８に出力可能に構成されている。
【００６５】
スクランブル回路３８は、本発明における「スクランブル手段」の一具体例であって、キーメモリ３５より出力されるスクランブルキーに基づいて、バッファメモリ４０より読み取られるＨＤストリームに対してスクランブル処理を施す。その結果、スクランブルデータを生成可能に構成されている。
【００６６】
デスクランブル回路４２は、本発明における「情報生成手段」の一具体例であって、キーメモリ３５より出力されるスクランブルキーに基づいて、ハードディスク１０より読み取られるスクランブルデータに対してデスクランブル処理を施す。即ち、上述するスクランブル処理とは逆のデータ処理をスクランブルデータに対して施す。その結果、ＨＤストリームを生成可能に構成されている。
【００６７】
ＣＰＵ５０は、当該情報記録再生装置１全体（即ち、図１中実線にて囲まれる各種構成要件）の動作を制御可能に構成されている。即ち、情報記録再生装置１が備える各構成要素に対してシステムコマンドを出力することで、情報記録再生装置１全体の制御を行う。通常、ＣＰＵ５０が動作するためのソフトウェアは、例えば外部のメモリ内に格納されている。
【００６８】
メモリ５１は、例えばＲＡＭ（Random Access Memory）やフラッシュメモリ等の半導体メモリを含んでなり、情報記録再生装置１の動作に必要な各種データを一時的に記録可能に構成されている。
【００６９】
尚、以上の情報記録再生装置１の各種構成要素のうち、主として図１中１ａにて示される鎖線にて囲まれる構成要素（即ち、ハードディスクドライブ１１、光ディスクドライブ２１、ＨＤデコーダ３１、ダウンコンバータ３２、ＳＤエンコーダ３３、ＣＰＲＭ回路３４、キーメモリ３５、スクランブル回路３８等）が本発明における情報記録装置の一具体例を構成する。また、主として図１中１ｂにて示される鎖線にて囲まれる構成要素（即ち、ハードディスクドライブ１１、光ディスクドライブ２１、ＣＰＲＭ回路３４、キーメモリ４５、ＳＤデコーダ３６、ＨＤデコーダ４１、デスクランブル回路４２等）が、本発明における情報再生装置の一具体例を構成する。
【００７０】
また、上述の実施例では、図の簡略化のために各種構成要素を媒介するバスを一部省略してブロック図が記載されていることを付記しておく。例えば、ハードディスク１０にＨＤストリームが記録されている場合には、当該ＨＤストリームが図示しないバスを介してＨＤデコーダ３１又は４１へ出力され、ＨＤ画質映像が再生される。
【００７１】
更に、各種構成要素を媒介するバスに付されている矢印は、データの入出力の方向を例示的に示すものであり、データの入出力の方向がこの矢印の方向に限定されないことは言うまでもない。
【００７２】
（動作原理）
続いて、図２から図１２を参照して、本実施例に係る情報記録再生装置の動作原理について説明を進める。
【００７３】
（１）ハードディスクへのデータ記録
先ず、図２から図４を参照しながら、本実施例に係る情報記録再生装置１によるハードディスク１０へのデータの記録動作について説明する。ここに、図２は、ハードディスク１０へのデータの記録動作の流れを概念的に示すフローチャートであり、図３は、ハードディスク１０への記録動作に関する構成要素を抜粋したブロック図であり、図４は、ハードディスク１０への動作時にハードディスク１０に記録されるデータを概念的に示す説明図である。
【００７４】
図２に示すように、先ず情報記録再生装置１は、ＨＤ画質映像に係るデータであって且つＭＰＥＧ２圧縮されているデータ（即ち、ＨＤストリーム）を取得する（ステップＳ１０１）。例えば、入力端子に接続されたデジタル放送チューナから、例えばＨＤ画質映像に係る放送信号（即ち、ＨＤストリーム）を取得する。
【００７５】
そして、取得されたＨＤストリームが、ＨＤデコーダ３１の動作によりデコーディングされる（ステップＳ１０２）。このデコーディング動作により、ＭＰＥＧ２圧縮される前のＨＤ画質映像に係るデータ（以降、適宜“ＨＤデータ”と称する）が生成される。
【００７６】
そして、デコーディングされたＨＤデータがダウンコンバータ３２に入力される。そして、ダウンコンバータ３２の動作により、ＨＤデータがＳＤサイズの映像に係るデータ（以降、適宜“ＳＤデータ”と称する）に変換される（ステップＳ１０３）。
【００７７】
続いて、ＳＤデータがＳＤエンコーダ３３に入力される。そして、ＳＤエンコーダ３３の動作により、入力されたＳＤデータに対してＳＤエンコーディング（即ち、ＭＰＥＧ２圧縮）処理が行われる（ステップＳ１０４）。その結果、ＳＤストリームが生成される。
【００７８】
そして、ＳＤストリームがハードディスク１０へ記録される（ステップＳ１０５）。
【００７９】
このとき、ＨＤストリームをダウンコンバートしてハードディスク１０に記録しているがゆえに、このままでは再度ＨＤストリーム（即ち、ＨＤ画質映像）の再生を行うことができない。従って、以下に記載する動作が、ステップＳ１０５までに説明したＳＤストリームのハードディスク１０への記録動作と並行して行なわれる。
【００８０】
具体的には、ステップＳ１０１において取得されたＨＤストリームは、先ずバッファメモリ４０へ入力される（ステップＳ１０６ａ）。そして、所望のタイミングで（即ち、スクランブル回路３８に入力されるスクランブルキーの生成或いは入力のタイミングに合わせて）スクランブル回路３８へ入力される（ステップＳ１０６ｂ）。
【００８１】
更には、ステップＳ１０４においてエンコーディング処理されたＳＤデータ（即ち、ＳＤエンコーダ３３の動作により生成されたＳＤストリーム）に基づいて、スクランブル処理のためのスクランブルキーが、本発明における「キー生成手段」の一具体例たるＣＰＵ５０の制御の下に生成される（ステップＳ１０７）。
【００８２】
スクランブルキーについて具体的に説明する。スクランブルキーは、ハードディスク１０に記録されるＳＤストリームに基づいて生成されることが好ましい。例えば、スクランブル回路３８に入力されるＨＤストリームの再生時刻に対応するＳＤストリームのデータ（例えば、１フレーム毎のデータ）をスクランブルキーとしてもよい。或いは、ＳＤストリームの少なくとも一部をスクランブルキーとしてもよい。そして、ＨＤストリームのデータサイズと比較して小さいデータサイズを有するスクランブルキーを繰り返し使用して後述のスクランブル処理を行うように構成してもよい。そして、ＳＤストリーム（或いは、その一部）をスクランブルキーとして使用するため、後述のデスクランブル処理の際には、実際にＳＤストリーム（或いは、当該ＳＤストリームが記録されたハードディスク１０）が必要とされる。
【００８３】
もちろん、上述した以外の所定のデータをスクランブルキーとして用いてもよいが、上述した具体例をスクランブルキーとして用いることがより好ましい。
【００８４】
尚、参考までに、例えばネットワーク上におけるデータ送受信の際のデータの暗号化に用いられるＳＳＬ（Secure Socket Layer）では、１２８ビットのサイズのキーを用いて暗号化処理を行っているが、本実施例では、１２８ビットよりも多いビット数を有するスクランブルキーにてスクランブル処理を行うことが好ましい。例えば、上述したように、１フレームのデータ量に相当するサイズのスクランブルキーにてスクランブル処理を行ってもよい。
【００８５】
そして、生成されるスクランブルキーがキーメモリ３５へ入力され（ステップＳ１０８）、その後、当該スクランブルキーが、スクランブル回路３８へ入力される（ステップＳ１０９）。
【００８６】
その後、スクランブル回路３８の動作により、ステップＳ１０９において入力されたスクランブルキーに基づいて、ステップＳ１０６において入力されたＨＤストリームに対してスクランブル処理が施される。その結果、スクランブルデータが生成される（ステップＳ１１０）。
【００８７】
ここでは、スクランブルキーの生成タイミングに合わせて、当該スクランブルキーに対応するＨＤストリームが読み取られ、スクランブル回路３８へ入力されることでスクランブルデータが生成されるように構成してもよい。或いは、キーメモリ３５において、スクランブルキーがスクランブル回路３８へ出力されるタイミングを調整することで、例えば当該スクランブルキーに対応するＨＤストリーム（或いは、当該スクランブルキーによりスクランブル処理されるべきＨＤストリームの一部）がスクランブル回路３８に入力されるように構成してもよい。
【００８８】
スクランブル回路３８においては、例えばスクランブルキーとＨＤストリームとの排他的論理和（ＸＯＲ演算）等の論理演算を行うことでスクランブルデータを生成するように構成してもよい。或いは、スクランブルキーに基づいて、ＨＤストリームに係るデータに所定の演算（例えば、シフト演算等）を施すことでスクランブルデータを生成するように構成してもよい。要は、それ単体では所定の映像や音声等を何ら意味しておらず、後述するように、スクランブルキーと合わせてデータ処理（具体的には、デスクランブル処理）することで初めて意味のある映像や音声等を構成するようなスクランブルデータが生成されればよい。即ち、本実施例における「スクランブル処理」とは、所定の映像等を示すデータを、当該所定の映像等を単体では示し得ないデータへと変換する処理を示している。
【００８９】
そして、スクランブルデータがハードディスク１０に記録される（ステップＳ１１１）。
【００９０】
このハードディスク１０へのデータの記録動作が実際に行なわれるブロック図上における構成要素を抽出すると、図３に示される。即ち、主としてハードディスクドライブ１１、ＨＤデコーダ３１、ダウンコンバータ３２、ＳＤエンコーダ３３、キーメモリ３５、スクランブル回路３８、バッファメモリ４０の動作により、上述したハードディスク１０へのデータの記録動作が行なわれる。尚、図３においては、各構成要素間において入出力される各種データの名称が記載されている。
【００９１】
以上まとめると、情報記録再生装置１により取得されたＨＤストリームがＳＤストリームにダウンコンバートされてハードディスク１０に記録されると共に、スクランブルデータがハードディスク１０に記録される。このときのハードディスク１０に記録されているデータの態様について図４を参照しながら説明する。
【００９２】
図４に示すように、上に説明した記録動作が終了したときには（即ち、全てのＳＤストリームがハードディスク１０に記録されたときには）、ハードディスク１０には、ＳＤストリームに加えてスクランブルデータが記録されている。
【００９３】
尚、上述の実施例においては、ＨＤストリームを順次取得し、該読み出されたＨＤストリームに対して順次ステップＳ１０１からステップＳ１１２の動作が行なわれるように構成されることが好ましい。即ち、当該ハードディスク１０へのデータの記録動作の前提として、１つのコンテンツに係るＨＤストリーム全体を一度に取得し、当該全体のＨＤストリームに対してステップＳ１０１からステップＳ１１２の動作を行なう必要はなく、情報記録再生装置１において処理できる範囲で（例えば、数フレーム単位で）順次ＨＤストリームを取得して（或いは、デジタル放送の番組に合わせてリアルタイムに）、上述のハードディスク１０へのデータの記録動作を行なえばよい。
【００９４】
（２）ＭＯＶＥ動作
続いて、図５及び図６を参照して、本実施例に係る情報記録再生装置のＭＯＶＥ動作について説明する。ここに、図５は、ＭＯＶＥ動作に係る流れを概念的に示すフローチャートであり、図６は、ＭＯＶＥ動作に関する構成要素を抜粋したブロック図である。
【００９５】
図５に示すように、先ずハードディスク１０に記録されているＳＤストリームが読み出される（ステップＳ２０１）。そして読み出されたＳＤストリームに対してＣＰＲＭ処理が施される（ステップＳ２０２）。具体的には、情報記録再生装置１が有するデバイスキーや光ディスク２０に予め記録されているメディアキー（例えば、ＭＫＢ（Media Key Block））や光ディスク２０の固有のＩＤ番号等に応じて暗号化キーが生成される。そして、この暗号化キーに基づいて、記録されるコンテンツ（この場合、ＳＤストリーム）の暗号化が行われる。
【００９６】
続いて、ＳＤストリームが光ディスク２０に記録される（ステップＳ２０３）。このとき、並行して、ハードディスク１０に記録されているＳＤストリームが消去される（ステップＳ２０４）。
【００９７】
このとき、光ディスク２０に記録されるＳＤストリームに対応しているＳＤストリームが（即ち、光ディスク２０に記録されるＳＤストリームに相当するハードディスク１０上のＳＤストリームが）同時に消去されるようにＭＯＶＥ動作が行なわれる。例えば、１分の（或いは、数分の、数秒の）再生時間単位毎にＳＤストリームが光ディスク２０に記録され、且つＨＤストリームがハードディスク１０より消去される。但し、このようにＳＤストリームの記録及び消去が行なわれなくとも、例えばユーザが光ディスク２０やハードディスク１０を利用する際に、コンテンツの著作権が適切に保護されている状態にあれば、どのような順序・態様でＳＤストリーム等の記録及び消去を行ってもよい。
【００９８】
これにより、ユーザはハードディスク１０に記録されたＳＤストリームを、比較的高速に光ディスク２０へＭＯＶＥする（即ち、ＭＯＶＥ動作を行なう）ことができる。というのも、ハードディスク１０には既にデジタル放送等のコンテンツがＳＤストリームとして記録されているため、光ディスク２０へ記録する際にはＣＰＲＭ処理を行なえば足りるからである。即ち、ハードディスク１０にＨＤストリームとしてコンテンツを記録していないため、情報記録再生装置１は光ディスク２０へのＭＯＶＥ動作の際に、スクランブルデータを生成したり、或いはＨＤストリーム等のエンコーディング処理・デコーディング処理・ダウンコンバート処理等の各種データ処理を行う必要がないからである。これにより、比較的高速なＭＯＶＥ動作を実現できる。
【００９９】
加えて、ＭＯＶＥ動作においては、情報記録再生装置１のうちＣＰＲＭ回路３４を使用すれば足りる。このため、当該ＭＯＶＥ動作を行ないつつ、ＭＯＶＥ動作において使用されない各種エンコーダ・デコーダ、ダウンコンバータ等を使用して、別途取得したＨＤストリーム或いはダウンコンバートされたＳＤストリームをハードディスク１０に記録することも可能である。従って、より効率的な記録動作を行なうことが可能となり、ユーザに対して利便性の高い情報記録再生装置１を提供することができる。
【０１００】
このＭＯＶＥ動作が実際に行なわれるブロック図上における構成要素を抽出すると、図６に示される。即ち、主としてハードディスクドライブ１１、光ディスクドライブ２１、ＣＰＲＭ回路３４の動作により、上述したＭＯＶＥ動作が行なわれる。尚、図６においては、各構成要素間において入出力される各種データの名称が記載されている。
【０１０１】
（３）ＭＯＶＥ動作後のＨＤ画質映像の再生動作及びＭＯＶＥ  ＢＡＣＫ動作（ＨＤ）
続いて、図７及び図８を参照して、ＭＯＶＥ動作後のＨＤ画質映像の再生動作及びＭＯＶＥ  ＢＡＣＫ動作（ＨＤ）について説明する。ここに、図７は、ＭＯＶＥ動作後のＨＤ画質映像の再生動作及びＭＯＶＥ  ＢＡＣＫ動作（ＨＤ）の流れを概念的に示すフローチャートであり、図８は、ＭＯＶＥ動作後のＨＤ画質映像の再生動作及びＭＯＶＥ  ＢＡＣＫ動作（ＨＤ）に関する構成要素を抜粋したブロック図である。
【０１０２】
尚、ＭＯＶＥ  ＢＡＣＫ動作とは、ＭＯＶＥ動作後に、再度そのデータを元の記録媒体に記録する動作を示す。具体的には、一の記録媒体に記録されているデータを他の記録媒体に記録するＭＯＶＥ動作を行なった後に、この他の記録媒体に記録されたデータを再度一の記録媒体に記録する動作を、ＭＯＶＥ  ＢＡＣＫ動作と称する。特に、ＨＤストリームとして元の記録媒体に記録する動作をＭＯＶＥ  ＢＡＣＫ動作（ＨＤ）と称し、ＳＤストリームとして元の記録媒体に記録する動作をＭＯＶＥ  ＢＡＣＫ動作（ＳＤ）と称して区別する。
【０１０３】
図７に示すように、先ず光ディスク２０よりＳＤストリームが読み取られる（ステップＳ３０３）。続いて、読み取られたＳＤストリームに対してＣＰＲＭ処理が施される（ステップＳ２０１）。ここでは、具体的は、情報記録再生装置１が有するデバイスキーや光ディスク２０に予め記録されているメディアキー等に応じて暗号を解くための復号化キーが生成される。そして、この復号化キーを用いてＳＤストリームに施された暗号が解かれ、復号される。
【０１０４】
続いて、ＣＰＵ５０の制御の下に、ＳＤストリームからスクランブルキーが生成される（ステップＳ１０７）。ここでは、上述のＭＯＶＥ動作時におけるスクランブルキーの生成と同じ手順により、同一のスクランブルキーが生成される。
【０１０５】
続いて生成されるスクランブルキーがキーメモリ４５へ入力され（ステップＳ１０８）、その後、当該スクランブルキーが、デスクランブル回路４２へ入力される（ステップＳ３０４）。
【０１０６】
これらの処理と並行して、ハードディスク１０よりスクランブルデータが読み取られる（ステップＳ３０１）。そして、読み取られたスクランブルデータがデスクランブル回路４２へ入力される（ステップ３０２）。このとき、ステップＳ１０７におけるスクランブルキーの生成のタイミングに合わせて（或いは、スクランブルキーがデスクランブル回路４２へ入力されるタイミングに合わせて）、スクランブルデータがデスクランブル回路４２へ入力されてもよい。或いは、スクランブルデータがデスクランブル回路４２へ入力されるタイミングに合わせて、スクランブルキーがデスクランブル回路４２へ入力されてもよい。
【０１０７】
その後、デスクランブル回路４２の動作により、ステップＳ３０４において入力されたスクランブルキーに基づいて、ステップＳ３０２において入力されたスクランブルデータに対してデスクランブル処理が施される。その結果、ＨＤストリームが生成される（ステップＳ３０５）。即ち、上述したスクランブル回路３８におけるスクランブルデータの生成とは逆の動作（例えば、逆の演算等）を行なうことで、ＨＤストリームを生成する。このとき、スクランブルキーに対応するスクランブルデータが、例えばフレーム単位で当該スクランブルキーと同期をとりながらデスクランブル回路４２に入力されるように構成することが好ましい。例えば、上述したＭＯＶＥ動作時に、ＳＤストリームのユーザデータ（或いは、付加データ）として、対応するスクランブルデータのハードディスク１０上の先頭オフセットアドレスを記録するように構成してもよいし、或いは該先頭オフセットアドレスを記録したテーブルを別途ハードディスク１０上に記録するように構成してもよい。
【０１０８】
その後、ＨＤデコーダ４１の動作により、生成されたＨＤストリームに対してデコーディング処理を行う（ステップＳ１０２）。これにより、ＨＤデータが生成される。その後、生成されたＨＤデータを再生することで（ステップＳ３０６）、ユーザはＨＤ画質映像を視聴することができる。
【０１０９】
仮に、従来のハードディスクレコーダ等の如くスクランブルデータを生成しない情報記録再生装置であれば、情報記録再生装置１に入力されたＨＤストリームを、ＳＤストリームに変換（即ち、ダウンコンバート等）してハードディスク１０或いは光ディスク２０に記録した後には、当該ＳＤストリームを再度ＨＤ画質映像として再生することは困難或いは不可能である。また、ＳＤデータをアップコンバートしても、画素数の面ではＨＤサイズの映像として再生することはできても、画質の面では本来のＨＤ画質映像として再生することは困難或いは不可能である。
【０１１０】
しかるに、本実施例に係る情報記録再生装置１によれば、情報記録再生装置１に入力されたＨＤストリームを、ＳＤストリームに変換してハードディスク１０或いは光ディスク２０に記録した後であっても、上述の如くスクランブルデータを用いて再生動作を行なえば、再度ＨＤ画質映像を再生することが可能となる。そして、ＨＤストリームをＳＤストリームに変換してハードディスク１０或いは光ディスク２０に記録しても、ハードディスク１０には本来のＨＤストリーム或いはＳＤストリームとは全く異なるデータであるスクランブルデータしか記録されておらず、コンテンツの著作権は適切に保護されている。
【０１１１】
従って、ユーザは、例えば自宅等においては、ハードディスクレコーダ等の高度な情報記録再生装置に記録されたＨＤストリームを再生することで、プラズマテレビ或いはプロジェクター等の大画面にて高画質な映像を視聴することができる。その一方で、ＨＤストリームを変換して、例えばＤＶＤ等の光ディスク２０にＳＤストリームとして記録することで、例えば自動車に搭載されているＤＶＤプレーヤ（或いは、カーナビゲーションに搭載されているＤＶＤプレーヤ）等を用いて同様のコンテンツを自動車の中においても楽しむことができる。即ち、自宅のように高度なＡＶ視聴環境を実現できる場所であっても、自動車内のように簡易なＡＶ視聴環境を実現できる場所であっても、ユーザは所望のコンテンツを所望の再生品質にて選択的に視聴するという大きな利点を享受することができる。
【０１１２】
他方、上述の如くＨＤデータを再生することに加えて又は代えて、デスクランブル回路４２において生成されたＨＤストリームがハードディスク１０へ記録されるように構成してもよい（ステップＳ３０７）。即ち、ＭＯＶＥ  ＢＡＣＫ動作（ＨＤ）が行なわれてもよい。
【０１１３】
このＨＤストリームの記録動作と並行して、光ディスク２０に記録されているＳＤストリームが消去される（ステップＳ３０８）。これにより、コンテンツの著作権を保護することができる。ユーザは再度ハードディスク上に記録されたＨＤ画質映像を視聴することが可能となる。
【０１１４】
このとき、ハードディスク１０に記録されているスクランブルデータも合わせて消去することが好ましい。これにより、ハードディスク１０の記録容量をより有効に利用することが可能となる。
【０１１５】
このＭＯＶＥ動作後のＨＤ画質映像の再生動作及びＭＯＶＥ  ＢＡＣＫ動作（ＨＤ）が実際に行なわれるブロック図上における構成要素を抽出すると、図８に示される。即ち、主としてハードディスクドライブ１１、光ディスクドライブ２１、ＣＰＲＭ回路３４、キーメモリ４５、ＨＤデコーダ４１、デスクランブル回路４２の動作により、上述したＭＯＶＥ動作後のＨＤ画質映像の再生動作及びＭＯＶＥ  ＢＡＣＫ動作（ＨＤ）が行なわれる。そして、出力１に接続された外部出力機器（例えば、各種ディスプレイや各種音響機器等）へＨＤデータが出力されることで、ユーザはＨＤ画質映像を視聴することができる。尚、図８においては、各構成要素間において入出力される各種データの名称が記載されている。
【０１１６】
（４）ＭＯＶＥ動作後のＳＤ画質映像の再生動作及びＭＯＶＥ  ＢＡＣＫ動作（ＳＤ）
続いて、図９及び図１０を参照して、ＭＯＶＥ動作後のＳＤ画質映像の再生動作及びＭＯＶＥ  ＢＡＣＫ動作（ＳＤ）について説明する。ここに、図９は、ＭＯＶＥ動作後のＳＤ画質映像の再生動作及びＭＯＶＥ  ＢＡＣＫ動作（ＳＤ）の流れを概念的に示すフローチャートであり、図１０は、ＭＯＶＥ動作後のＳＤ画質映像の再生動作及びＭＯＶＥ  ＢＡＣＫ動作（ＳＤ）に関する構成要素を抜粋したブロック図である。
【０１１７】
図９に示すように、先ず光ディスク２０よりＳＤストリームが読み取られる（ステップＳ３０３）。続いて、読み取られたＳＤストリームに対してＣＰＲＭ処理が施される（ステップＳ２０１）。ここでは、具体的には、情報記録再生装置１が有するデバイスキーや光ディスク２０に予め記録されているメディアキー等に応じて、暗号を解くための復号化キーが生成される。そして、この復号化キーを用いてＳＤストリームに施された暗号が解かれ、復号される。
【０１１８】
続いて、ＳＤデコーダ３６の動作により、暗号が解かれたＳＤストリームのデコーディング処理が行われ（ステップＳ４０１）、ＳＤデータが生成される。そして、生成されたＳＤデータを再生することで（ステップＳ４０２）、ユーザは、ＳＤサイズの映像（即ち、ＳＤ画質映像）を視聴することができる。
【０１１９】
他方、上述の如くＳＤデータを再生することに加えて又は代えて、暗号が解かれたＳＤストリームがハードディスク１０へ記録されるように構成してもよい（ステップＳ４０３）。即ち、ＭＯＶＥ  ＢＡＣＫ動作（ＳＤ）が行われてもよい。
【０１２０】
このＳＤストリームの記録動作と並行して、光ディスク２０に記録されているＳＤストリームが消去される（ステップＳ３０７）。これにより、コンテンツの著作権を保護することができる。そして、ハードディスク１０より読み取られるＳＤストリームに対して、ＳＤデコーダ３６の動作によりデコーディング処理が施されることで、ＳＤ画質映像を再生することができる。
【０１２１】
このとき、ハードディスク１０に記録されているスクランブルデータは、ＨＤデータを再生するために必要であるため、このまま残しておくことが好ましい。
【０１２２】
このように、コンテンツの著作権を適切に保護しつつも、ハードディスク１０にＳＤストリームを再び記録することができる。
【０１２３】
このＭＯＶＥ動作後のＳＤ画質映像の再生動作及びＭＯＶＥ  ＢＡＣＫ動作（ＳＤ）が実際に行なわれるブロック図上における構成要素を抽出すると、図１０に示される。即ち、主としてハードディスクドライブ１１、光ディスクドライブ２１、ＣＰＲＭ回路３４、ＳＤデコーダ３６の動作により、上述したＭＯＶＥ動作後のＳＤ画質映像の再生動作及びＭＯＶＥ  ＢＡＣＫ動作（ＳＤ）が行なわれる。そして、出力２に接続された外部出力機器（例えば、各種ディスプレイや各種音響機器等）へＳＤデータが出力されることで、ユーザはＳＤ画質映像を視聴することができる。尚、図１０においては、各構成要素間において入出力される各種データの名称が記載されている。
【０１２４】
（５）ＭＯＶＥ  ＢＡＣＫ動作（ＨＤ）後のＨＤ画質映像の再生動作
続いて、図１１及び図１２を参照して、ＭＯＶＥ  ＢＡＣＫ動作（ＨＤ）後のＨＤ画質映像の再生動作について説明する。ここに、図１１は、ＭＯＶＥ  ＢＡＣＫ動作（ＨＤ）後のＨＤ画質映像の再生動作の流れを概念的に示すフローチャートであり、図１２は、ＭＯＶＥ  ＢＡＣＫ動作（ＨＤ）後のＨＤ画質映像の再生動作に関する構成要素を抜粋したブロック図である。
【０１２５】
図１１に示すように、ハードディスク１０に記録されたＨＤストリームが読み取られ（ステップＳ５０１）、該読み取られたＨＤストリームに対してデコーディング処理が施される（ステップＳ１０２）。即ち、ＨＤデータが生成される。そして生成されたＨＤデータを再生することで（ステップＳ３０５）、ユーザは、ＨＤ画質映像を視聴することが可能となる。
【０１２６】
尚、ここで説明する再生動作は、情報記録再生装置１に入力されるＨＤストリームがそのまま、即ち、ＳＤストリームに変換されることなく、ハードディスク１０に記録された場合の、当該ＨＤストリームの再生動作と同様である。
【０１２７】
このＭＯＶＥ  ＢＡＣＫ動作（ＨＤ）後のＨＤ画質映像の再生動作が実際に行なわれるブロック図上における構成要素を抽出すると、図１２に示される。即ち、主としてハードディスクドライブ１１、ＨＤデコーダ４１の動作により、上述したＭＯＶＥ  ＢＡＣＫ動作（ＨＤ）後のＨＤ画質映像の再生動作が行なわれる。そして、出力１に接続された外部出力機器（例えば、各種ディスプレイや各種音響機器等）へＨＤデータが出力されることで、ユーザはＨＤ画質映像を視聴することができる。尚、図１２においては、各構成要素間において入出力される各種データの名称が記載されている。
【０１２８】
以上説明したように、本実施例に係る情報記録再生装置１によれば、ＨＤストリームをＳＤストリームに変換してハードディスク１０に記録できる。したがって、ハードディスク１０から光ディスク２０への例えばＳＤストリーム等の高速なＭＯＶＥ動作を実現することが可能となる。更に、ＨＤストリームをＳＤストリームに変換してハードディスク１０に記録した後であっても、上述の如くスクランブルデータを用いて再生動作を行なえば、再度ＨＤ画質映像を再生することが可能となる。そして、ＨＤストリームをＳＤストリームに変換してハードディスク１０や光ディスク２０に記録しても、ハードディスク１０には本来のＨＤストリーム或いはＳＤストリームとは全く異なるデータであるスクランブルデータしか記録されていない。このため、ユーザは、コンテンツの著作権を適切に保護しつつも、所望の再生品質に係るコンテンツを好適に視聴することが可能となる。
【０１２９】
また、上述の実施例では、記録媒体の一例としてハードディスク１０及び光ディスク２０、並びに情報記録再生装置の一例としてハードディスク１０及び光ディスク２０に係るレコーダ（プレーヤ）について説明したが、本発明は、ハードディスク及び光ディスク、並びにそのレコーダ（プレーヤ）に限られるものではなく、他の各種記録媒体並びにそのレコーダ（プレーヤ）にも適用可能である。
【０１３０】
本発明は、上述した実施例に限られるものではなく、請求の範囲及び明細書全体から読み取れる発明の要旨或いは思想に反しない範囲で適宜変更可能であり、そのような変更を伴なう情報記録装置及び方法、情報再生装置及び方法、並びに、記録制御用及び再生制御用のコンピュータプログラムもまた本発明の技術的範囲に含まれるものである。
【図面の簡単な説明】
【０１３１】
【図１】本発明の情報記録再生装置に係る実施例の基本構成を概念的に示すブロック図である。
【図２】本実施例に係る情報記録再生装置のハードディスクへのデータの記録動作の流れを概念的に示すフローチャートである。
【図３】本実施例に係る情報記録装置の構成要素のうちハードディスクへのデータの記録動作に関する構成要素を抜粋したブロック図である。
【図４】ハードディスクへのデータの記録動作時のハードディスクに記録されるデータを概念的に示す説明図である
【図５】本実施例に係る情報記録再生装置のＭＯＶＥ動作の流れを概念的に示すフローチャートである。
【図６】本実施例に係る情報記録装置の構成要素のうちＭＯＶＥ動作に関する構成要素を抜粋したブロック図である。
【図７】本実施例に係る情報記録再生装置のＭＯＶＥ動作後のＨＤ画質映像の再生動作及びＭＯＶＥ  ＢＡＣＫ動作（ＨＤ）の流れを概念的に示すフローチャートである。
【図８】本実施例に係る情報記録装置の構成要素のうちＭＯＶＥ動作後のＨＤ画質映像の再生動作及びＭＯＶＥ  ＢＡＣＫ動作（ＨＤ）に関する構成要素を抜粋したブロック図である。
【図９】本実施例に係る情報記録再生装置のＭＯＶＥ動作後のＳＤ画質映像の再生動作及びＭＯＶＥ  ＢＡＣＫ動作（ＳＤ）の流れを概念的に示すフローチャートである。
【図１０】本実施例に係る情報記録装置の構成要素のうちＭＯＶＥ動作後のＳＤ画質映像の再生動作及びＭＯＶＥ  ＢＡＣＫ動作（ＳＤ）に関する構成要素を抜粋したブロック図である。
【図１１】本実施例に係る情報記録再生装置のＭＯＶＥ  ＢＡＣＫ動作（ＨＤ）後のＨＤ画質映像の再生動作の流れを概念的に示すフローチャートである。
【図１２】本実施例に係る情報記録装置の構成要素のうちＭＯＶＥ  ＢＡＣＫ動作（ＨＤ）後のＨＤ画質映像の再生動作に関する構成要素を抜粋したブロック図である。
【符号の説明】
【０１３２】
１  情報記録再生装置
１０  ハードディスク
１１  ハードディスクドライブ
２０  光ディスク
２１  光ディスクドライブ
３２  ダウンコンバータ
３５  キーメモリ
３８  スクランブル回路
４２  デスクランブル回路
５０  ＣＰＵ
【図１】
2005322298.tif 000003
【図２】
2005322298.tif 000004
【図３】
2005322298.tif 000005
【図４】
2005322298.tif 000006
【図５】
2005322298.tif 000007
【図６】
2005322298.tif 000008
【図７】
2005322298.tif 000009
【図８】
2005322298.tif 000010
【図９】
2005322298.tif 000011
【図１０】
2005322298.tif 000012
【図１１】
2005322298.tif 000013
【図１２】
2005322298.tif 000014